(57)【要約】【課題】生体の少なくとも一部位を手軽にマッサージできる低価格なマッサージ器を提供すること。【解決手段】表面材１１と裏面材１２の間にエアバッグ１３を峡持して固定した第１ベルト部１０に対して、送気用ポンプ２１と、マッサージ用ポンプを有するポンプ部を接続し、送気用ポンプでエアバッグ１３内に空気を注入した後、マッサージ用ポンプ２２をポンピングして、エアバッグ１３内の空気量を変化させ、第１ベルト部１０の巻き付けられた部位に対する加圧と除圧を繰り返し行う。【選択図】図１
2019088527.tif 000002
【特許請求の範囲】
【請求項１】
生体の部位をマッサージするマッサージ器であって、
袋状の密閉された伸縮体により構成され、気体の流入及び排出に応じて、膨張と収縮を繰り返すエアバッグと、
所定の帯形状を有し、マッサージ対象部位に対して前記エアバッグを収容する帯状部材と、
前記エアバッグに接続され、かつ、外部から前記エアバッグに気体を注入する第１ポンプと、
前記エアバッグに接続された密閉状の弾性体であって、外力によって初期形状から収縮変形した変形形状に遷移し、当該変形形状に遷移後に自らの弾性力によって前記初期形状に復元する第２ポンプと、
を備え、
前記第２ポンプが、
前記第１ポンプによって前記エアバッグ内に注入された気体が保持されている状態において、前記初期形状から前記変形形状に遷移した場合に、当該第２ポンプ内に保持されている気体を前記エアバッグに注入し、かつ、前記変形形状から前記初期形状に遷移した場合に、前記エアバッグ内に保持されている気体を吸引し、前記エアバッグの膨張及び収縮を制御することを特徴とするマッサージ器。
【請求項２】
請求項１に記載のマッサージ器において、
前記エアバッグが、
前記帯状部材の内部に形成された収容部に収容されており、
当該収容部のサイズより大きなサイズによって形成されている、マッサージ器。
【請求項３】
請求項１又は２に記載のマッサージ器において、
前記エアバッグ、前記第１ポンプ及び前記第２ポンプを接続し、前記気体の経路となるＹ字形状を有するチューブを更に備え、
前記チューブが、
前記第１ポンプに接続される第１端部と、
前記第２ポンプに接続される第２端部と、
前記エアバッグに接続される第３端部と、
を有している、マッサージ器。
【請求項４】
請求項３に記載のマッサージ器において、
複数の前記エアバッグを備え、
前記第３端部が、前記複数のエアバッグのそれぞれに接続される、マッサージ器。
【請求項５】
請求項１〜４のいずれか１項に記載のマッサージ器において、
前記第１ポンプが、
前記外力が生じた場合に前記外部から前記第１ポンプ内に気体を吸引し、当該外力が生じていない場合に、前記第１ポンプ内の気体の外部への排気を防止する逆止弁を有している、マッサージ器。
【請求項６】
請求項１〜５のいずれか１項に記載のマッサージ器において、
前記帯状部材が、
第１の幅を有する第１領域と前記第１の幅よりも大きい第２の幅を有する第２領域を有し、
前記第２領域に前記エアバッグが収容されている、マッサージ器。
【請求項７】
袋状の密閉された伸縮体により構成され、気体の流入及び排出に応じて、膨張と収縮を繰り返すエアバッグを用いて生体の部位をマッサージするポンプ装置であって、
所定の帯形状を有し、マッサージ対象部位に対して前記エアバッグを収容する帯状部材と、
前記エアバッグに接続され、かつ、外部から前記エアバッグに気体を注入する第１ポンプと、
前記エアバッグに接続された密閉状の弾性体であって、外力によって初期形状から収縮変形した変形形状に遷移し、当該変形形状に遷移後に自らの弾性力によって前記初期形状に復元する第２ポンプと、
を備え、
前記第２ポンプが、
前記第１ポンプによって前記エアバッグ内に注入された気体が保持されている状態において、前記初期形状から前記変形形状に遷移した場合に、当該第２ポンプ内に保持されている気体を前記エアバッグに注入し、かつ、前記変形形状から前記初期形状に遷移した場合に、前記エアバッグ内に保持されている気体を吸引し、前記エアバッグの膨張及び収縮を制御することを特徴とするポンプ装置。
【発明の詳細な説明】
【技術分野】
【０００１】
本発明は、生体の一部分を手動にてマッサージするマッサージ器及びポンプ装置に関する。
【背景技術】
【０００２】
従来、健康器具として人体の足部を空気によりマッサージするエアマッサージ器が提供されている（例えば、特許文献１及び２）。
【０００３】
この種のエアマッサージ器においては、足部の形状に合わせたベルトにエアバッグを設け、当該ベルトを足に圧着した状態にて、エアバッグに空気を流入させて加圧し、又は、エアバッグから空気を排出させて除圧することにより、足部に対するマッサージを行う構成が採用されている。
【先行技術文献】
【特許文献】
【０００４】
【特許文献１】特開昭５６−６６２５８号公報
【特許文献２】特開平７−１１６２１２号公報
【発明の概要】
【発明が解決しようとする課題】
【０００５】
しかしながら、上記特許文献１及び２に記載のマッサージ器は、足部の形状に合わせたベルトを用いる構成やマッサージ対象部位に刺激を与えるために電動装置を用いる必要があるので、装置が大型化、複雑化するとともに、装置の製品価格が上昇し、多くのユーザが手軽に、かつ、低コストで利用することが難しい。
【０００６】
本発明は、上述した課題に鑑みたものであり、簡易な構成を有し、かつ、手動によって実現すること、及び、その結果、手軽に、かつ、低価格なマッサージ器を提供することにある。
【課題を解決するための手段】
【０００７】
（１）上述した課題を解決するため、本発明は、
生体の部位をマッサージするマッサージ器であって、
袋状の密閉された伸縮体により構成され、気体の流入及び排出に応じて、膨張と収縮を繰り返すエアバッグと、
所定の帯形状を有し、マッサージ対象部位に対して前記エアバッグを収容する帯状部材と、
前記エアバッグに接続され、かつ、外部から前記エアバッグに気体を注入する第１ポンプと、
前記エアバッグに接続された密閉状の弾性体であって、外力によって初期形状から収縮変形した変形形状に遷移し、当該変形形状に遷移後に自らの弾性力によって前記初期形状に復元する第２ポンプと、
を備え、
前記第２ポンプが、
前記第１ポンプによって前記エアバッグ内に注入された気体が保持されている状態において、前記初期形状から前記変形形状に遷移した場合に、当該第２ポンプ内に保持されている気体を前記エアバッグに注入し、かつ、前記変形形状から前記初期形状に遷移した場合に、前記エアバッグ内に保持されている気体を吸引し、前記エアバッグの膨張及び収縮を制御する構成を有している。
【０００８】
この構成により、本発明は、エアバッグを膨張させた状態において、ユーザによって第２ポンプを握ることによって外力を与えると、エアバッグ内の気体量（例えば、空気）を増加させて当該エアバッグをさらに膨張させることができるとともに、その後にユーザによって外力を開放させると、当該エアバッグ内の気体量を減少させて当該エアバッグを収縮させることができる。
【０００９】
すなわち、本発明は、ユーザ操作に応じてエアバッグの膨張及び収縮を繰り返すことによってエアバッグをポンピングすることができるので、帯状部材によって固定されたマッサージ対象部位に加圧と除圧を繰り返すことができるので、当該マッサージ対象部位に刺激を与えることができる。
【００１０】
したがって、本発明は、２つのポンプによってエアバッグを手動制御することができるので、コストをかけることなく簡易な構成によって実現することができるとともに、その結果、手軽にマッサージを実施することができる。
【００１１】
（２）また、本発明は、
前記エアバッグが、
前記帯状部材の内部に形成された収容部に収容されており、
当該収容部のサイズより大きなサイズによって形成されている、構成を有している。
【００１２】
この構成により、本発明は、帯状部材内の限られた空間内でのみエアバッグを膨張させることができるので、不必要に膨張することを防止することができるとともに、帯状部材により気体の過度の注入によるエアバッグの破裂を防止することができる。
【００１３】
（３）また、本発明は、
前記エアバッグ、前記第１ポンプ及び前記第２ポンプを接続し、前記気体の経路となるＹ字形状を有するチューブを更に備え、
前記チューブが、
前記第１ポンプに接続される第１端部と、
前記第２ポンプに接続される第２端部と、
前記エアバッグに接続される第３端部と、
を有している、構成をしている。
【００１４】
この構成により、本発明は、第１ポンプによるエアバッグへの気体の注入と、第２ポンプによるエアバッグへの加圧及び除圧を行うための気体の流入制御を共通化することができるので、構造を簡易にすることができるとともに、製造コストを低減させることができる。
【００１５】
（４）また、本発明は、
複数の前記エアバッグを備え、
前記第３端部が、前記複数のエアバッグのそれぞれに接続される、構成を有している。
【００１６】
この構成により、本発明は、複数のエアバッグ及び帯状部材を繋げることによって腰などの大きな部位をマッサージ対象部位として適用することができるとともに、複数のエアバッグ及び帯状部材を個々に適用することによって手足などの複数の部位をマッサージ対象部位として適用することができる。
【００１７】
（５）また、本発明は、
前記第１ポンプが、
前記外力が生じた場合に前記外部から前記第１ポンプ内に気体を吸引し、当該外力が生じていない場合に、前記第１ポンプ内の気体の外部への排気を防止する逆止弁を有している、構成をしている。
【００１８】
この構成により、本発明は、エアバッグ内に気体を注入する構造を簡易にすることができるので、製造コストを低減させることができる。
【００１９】
（６）また、本発明は、
前記帯状部材が、
第１の幅を有する第１領域と前記第１の幅よりも大きい第２の幅を有する第２領域を有し、
前記第２領域に前記エアバッグが収容されている、構成を有している。
【００２０】
この構成により、本発明は、下腿などのマッサージ対象部位に応じて、すなわち、加圧及び除圧を行う部位に適した構造を採用することができる。
【００２１】
（７）上述した課題を解決するため、本発明は、
袋状の密閉された伸縮体により構成され、気体の流入及び排出に応じて、膨張と収縮を繰り返すエアバッグを用いて生体の部位をマッサージするポンプ装置であって、
所定の帯形状を有し、マッサージ対象部位に対して前記エアバッグを収容する帯状部材と、
前記エアバッグに接続され、かつ、外部から前記エアバッグに気体を注入する第１ポンプと、
前記エアバッグに接続された密閉状の弾性体であって、外力によって初期形状から収縮変形した変形形状に遷移し、当該変形形状に遷移後に自らの弾性力によって前記初期形状に復元する第２ポンプと、
を備え、
前記第２ポンプが、
前記第１ポンプによって前記エアバッグ内に注入された気体が保持されている状態において、前記初期形状から前記変形形状に遷移した場合に、当該第２ポンプ内に保持されている気体を前記エアバッグに注入し、かつ、前記変形形状から前記初期形状に遷移した場合に、前記エアバッグ内に保持されている気体を吸引し、前記エアバッグの膨張及び収縮を制御する、構成を有している。
【００２２】
この構成により、本発明は、エアバッグを膨張させた状態において、ユーザによって第２ポンプを握ることによって外力を与えると、エアバッグ内の気体量（例えば、空気）を増加させて当該エアバッグをさらに膨張させることができるとともに、その後にユーザによって外力を開放させると、当該エアバッグ内の気体量を減少させて当該エアバッグを収縮させることができる。
【００２３】
すなわち、本発明は、ユーザ操作に応じてエアバッグの膨張及び収縮を繰り返すことによってエアバッグをポンピングすることができるので、帯状部材によって固定されたマッサージ対象部位に加圧と除圧を繰り返すことができるので、当該マッサージ対象部位に刺激を与えることができる。
【００２４】
したがって、本発明は、２つのポンプによってエアバッグを手動制御することができるので、コストをかけることなく簡易な構成によって実現することができるとともに、その結果、手軽にマッサージを実施することができる。
【図面の簡単な説明】
【００２５】
【図１】本発明の第１実施形態におけるマッサージ器の構成を示す図である。
【図２】第１実施形態における第１ベルト部の構成を示す図である。
【図３】第１実施形態におけるポンプ部の構成を示す図である。
【図４】本発明の第２実施形態におけるマッサージ器の構成を示す図である。
【図５】第２実施形態における第２ベルト部の構成を示す図である。
【発明を実施するための形態】
【００２６】
以下、本実施形態について説明する。なお、以下の実施形態は、ユーザの身体の一部位に対してマッサージを施すマッサージ器に対し、本発明に係る、マッサージ器及びポンプ装置を適用した場合の実施形態である。ただし、以下に説明する実施形態は、特許請求の範囲に記載された本発明の内容を不当に限定するものではなく本実施形態で説明される構成の全てが、本発明の必須構成要件であるとは限らない。
【００２７】
［Ａ］第１実施形態
［Ａ．１］概要及び構成
まず、図１を用いて、本発明の第１実施形態に係るマッサージ器１の構成について説明する。なお、図１は、本実施形態におけるマッサージ器の構成を示す図である。
【００２８】
本実施形態のマッサージ器１は、手動によって、頭部、腰部、上腿、又は、下腿などのマッサージ対象部位となる生体の部位への加圧（すなわち、圧迫）と除圧（すなわち、圧迫の開放）を繰り返し、当該マッサージ対象部位へのマッサージを提供するマッサージ用の器具である。
【００２９】
そして、本実施形態のマッサージ器１は、図１に示すように、生体の部位に装着される第１ベルト部１０と、マッサージ対象部位に対して加圧と除圧を実行するために用いられるエアバッグ１３と、当該エアバッグ１３に気体（具体的には空気）を注入し、かつ、加圧及び除圧をする送気用ポンプ２１及びマッサージ用ポンプ２２の２つのポンプを有するポンプ部２０と、を有している。
【００３０】
特に、マッサージ器１は、図１に示すように、例えば、表裏方向に湾曲させて輪形状に変形させ、ユーザのマッサージ対象部位（例えば、図１の場合には頭部Ｈ）に巻き付けて当該マッサージ対象部位に、エアバッグ１３を収容する第１ベルト部１０を密着させる構成を有している。
【００３１】
また、マッサージ器１は、第１ベルト部１０をマッサージ対象部位に巻き付けた状態で送気用ポンプ２１によってエアバッグ１３内に空気を注入し、当該マッサージ対象部位に対して第１ベルト部１０をさらに圧着させる（すなわち、密着強度を強める）構成を有している。
【００３２】
そして、マッサージ器１は、エアバッグ１３に空気が注入された状態であってマッサージ対象部位に対して第１ベルト部１０を圧着させた状態において、マッサージ用ポンプ２２によってエアバッグ１３の膨張及び収縮をするポンピングを実行し、当該マッサージ対象部位に加圧及び除圧を繰り返すことが可能な構成を有している。
【００３３】
具体的には、マッサージ器１は、
（１）袋状の密閉された伸縮体により構成され、気体の流入及び排出に応じて、膨張と収縮を繰り返すエアバッグ１３と、
（２）所定の帯形状を有し、マッサージ対象部位（具体的には、頭部Ｈ）に対してエアバッグ１３を収容する第１ベルト部１０と、
（３）エアバッグ１３に接続され、かつ、外部からエアバッグ１３に気体を注入する送気用ポンプ２１と、
（４）エアバッグ１３に接続された密閉状の弾性体であって、外力によって初期形状から収縮変形した変形形状に遷移し、当該変形形状に遷移後に自らの弾性力によって初期状態に復元するマッサージ用ポンプ２２と、
を備えている。
【００３４】
そして、マッサージ用ポンプ２２は、
（４Ａ）送気用ポンプ２１によってエアバッグ１３内に注入された気体が保持されて、当該エアバッグ１３が初期形状から変形形状に遷移した場合に、当該マッサージ用ポンプ２２内に保持されている気体をさらにエアバッグ１３に注入し、
（４Ｂ）その後、変形形状から初期状態に遷移した場合に、エアバッグ１３内に保持されている気体を吸引する、
構成を有している。
【００３５】
この構成により、マッサージ器１は、ユーザによってマッサージ用ポンプ２２を握ることによって外力を与えると、エアバッグ１３内の気体量（例えば、空気）を増加させて当該エアバッグ１３を膨張させることができるとともに、その後にユーザによって握る力を緩めて外力を開放させると、当該エアバッグ１３内の気体量を減少させて当該エアバッグ１３を収縮させることができるようになっている。
【００３６】
すなわち、マッサージ器１は、ユーザの操作に応じてエアバッグ１３内の膨張と収縮を繰り返し制御することによって、エアバッグ１３をポンピングすることができるので、第１ベルト部１０によって圧着されたマッサージ対象部位に刺激を与えることができるようになっている。
【００３７】
特に、本実施形態のマッサージ器１は、エアバッグ１３を収容した第１ベルト部１０をマッサージ対象部位に巻き付けた状態で、送気用ポンプ２１により、エアバッグ１３内に空気を注入して当該部位に圧着させ、マッサージ用ポンプ２２をポンピングするだけで、マッサージ対象部位にマッサージを施すことができるので、ユーザは、手軽にマッサージを行うことができるようになっている。
【００３８】
そして、本実施形態のマッサージ器１は、二枚の生地（表面材１１及び裏面材１２）と、エアバッグ１３により第１ベルト部１０が構成されているとともに、簡易、かつ、低コストに製造可能な２個の手動ポンプによってポンプ部２０が構成されているため、低価格にてマッサージ器１をユーザに提供することができるようになっている。
【００３９】
［Ａ．２］第１ベルト部
次に、図２を用いて本実施形態の第１ベルト部１０の構造について説明する。なお、図２は、第１実施形態における第１ベルト部１０の構成を示す図である。
【００４０】
特に、図２（Ａ）は、第１ベルト部１０の前面図を示し、図２（Ｂ）は、第１ベルト部１０の裏面図を示す。また、図２（Ｃ）は、第１ベルト部１０の内部に収容されるエアバッグ１３の前面図を示し、図２（Ｄ）は、第１ベルト部１０のＡ−Ａ’断面図を示す。さらに、図２（Ｄ）は、第１ベルト部１０の内部に収容されるエアバッグ１３の断面図を示す。
【００４１】
第１ベルト部１０は、図２（Ａ）〜（Ｅ）に示すように、表面材１１と、裏面材１２と、エアバッグ１３と、表面材１１及び裏面材１２によって構成されるエアバッグ１３を収容する収容部１４と、をから構成される。
【００４２】
なお、例えば、本実施形態の第１ベルト部１０は、本発明の帯状部材を構成し、エアバッグ１３は、本発明のエアバッグを構成する。また、例えば、本実施形態の収容部１４は、本発明の収容部を構成する。
【００４３】
特に、第１ベルト部１０は、表面材１１、裏面材１２、エアバッグ１３及び収容部１４を一体化した構造を有している。
【００４４】
表面材１１は、図２（Ａ）に示すように、長手方向の長さＬ（例えば、６８０ｍｍ）及び短手方向の長さＳ１（例えば、８０ｍｍ）の帯形状を有し、輪形状に変形可能なストレッチ性を有する生地により構成されている。
【００４５】
そして、表面材１１は、裏面材１２と、長手方向及び短手方向の端部、すなわち、周囲において接合され、裏面材１２とともに長手方向の長さＬ１を有する袋形状の収容部１４を形成する。また、表面材１１は、エアバッグ１３とポンプ部２０と連結させるための貫通孔１１１を有している。
【００４６】
裏面材１２は、表面材１１と同様に、図２（Ｂ）に示すように、長手方向の長さＬ（例えば、６８０ｍｍ）及び短手方向の長さＳ１（例えば、８０ｍｍ）の帯形状を有し、輪形状に変形可能なストレッチ性を有する生地により構成されている。
【００４７】
そして、裏面材１２は、表面材１１と周囲において接合され、表面材と同一の長さを有し、表面材１１とともにエアバッグ１３を収容する収容部１４を形成する。
【００４８】
収容部１４は、図２（Ａ）、（Ｂ）及び（Ｄ）に示すように、長手方向において長さＬより短い長さＬ１、及び、短手方向の長さＳ１より短い長さＳ２の袋形状を有している。特に、収容部１４は、例えば、表面材１１及び裏面材１２の長手方向の端部からそれぞれ所定の距離（例えば、１５０ｍｍ）の位置に形成されている。
【００４９】
なお、収容部１４の長手方向の長さＬ１は、表面材１１及び裏面材１２の長手方向の長さＬより短ければその長さは限定されない。また、短手方向の長さＳ２は、表面材１１及び裏面材１２の生地（すなわち、厚さ）によって変動する。
【００５０】
そして、表面材１１と裏面材１２を固定して一体化させる方法は、任意であり、例えば、接着剤によって接着することによって一体化してもよいし、表面材１１と裏面材１２の縁の部分を縫製することによって一体化してもよい。
【００５１】
一方、裏面材１２の表面には、ゴム製の半球を斑点状に設けられた滑り止め加工が施されており、マッサージ対象部位に第１ベルト部１０を巻き付けた場合に、マッサージ対象部位に対して第１ベルト部１０を確実に固定し、マッサージ中に第１ベルト部１０の位置ずれを防止することできるようになっている。
【００５２】
また、裏面材１２の一端には、長さＴ１及びＴ２を有し、面ファスナーのフックによって形成された固定具１２１が設けられている。そして、固定具１２１は、第１ベルト部１０が湾曲した輪形状となるように、表面材１１の全体又は一部分に固定される。
【００５３】
なお、滑り止め加工の方法及び固定具の種類については、これらに限定されない。
【００５４】
エアバッグ１３は、ポンプ部２０によって気体（具体的には、空気）が注入されるとともに、マッサージ用ポンプ２２によってポンピングされた場合に、気体の吸排気に応じて収縮と膨張を繰り返す構造を有している。
【００５５】
具体的には、エアバッグ１３は、ＮＲ（天然ゴム）、ＳＢＲ（スチレン・ブタジエンゴム）、ＩＲ（イソプレンゴム）、ＢＲ（ブタジエンゴム）、ＣＲ（クロロプレンゴム）、シリコンゴム等の各種ゴム、又は、ＰＶＣ（ポリ塩化ビニル）、ＰＰ（ポリプロピレン）、ＰＥ（ポリエチレン）、アクリル樹脂、ＰＥＴ（ポリエチレンテレフタレート）、ＰＶＡ（ポリビニルアルコール）等の弾性体によって袋状に形成されている。
【００５６】
また、エアバッグ１３は、図２（Ｃ）及び（Ｅ）に示すように、長手方向の長さＬ３及び短手方向の長さＳ３の密閉の帯形状を有している。特に、エアバッグ１３の破裂防止のため、エアバッグ１３の長手方向の長さＬ３は、収容部１４の長さＬ１より長くなっており、エアバッグ１３の短手方向の長さＳ３は、表面材１１及び裏面材１２の長さＳ１又は収容部１４の短手方向の長さＳ２より長くなっている。
【００５７】
なお、エアバッグ１３の長手方向の長さＬ３は、収容部１４の長さＬ１より長くなっていればよく、また、エアバッグ１３の短手方向の長さＳ３は、表面材１１及び裏面材１２の長さＳ１や収容部１４の短手方向の長さＳ２より長くなっていれば、その長さは限定されない。ただし、これらの長さが長すぎると、マッサージ対象部位に対して加圧及び除圧を十分に行うことができないため、適切な長さであることが望ましい。
【００５８】
一方、エアバッグ１３には、空気流入・流出口１３１が設けられ、この空気流入・流出口１３１は、表面材１１に設けられた貫通孔１１１と位置合わせされている。
【００５９】
また、空気流入・流出口１３１には、図示せぬ逆止弁が設けられているとともに、ポンプ部２０の後述するエアノズル２５が表面材１１の貫通孔１１１を通して挿嵌される。特に、逆止弁は、空気流入・流出口１３１にエアノズル２５が挿嵌されると、エアバッグ１３内に気体の流入及び排出を自在に実行可能となる一方、当該エアノズル２５が挿嵌されない状態においては、エアバッグ１３内の気体は外部に漏れ出さない機能を有している。
【００６０】
なお、表面材１１と裏面材１２にエアバッグ１３を固定して一体化する方法は、任意であり、例えば、接着剤によって接着することによって一体化してもよいし、表面材１１と裏面材１２の一部に縫製することによって一体化してもよい。
【００６１】
［Ａ．３］ポンプ部
次に、図３を用いて本実施形態のポンプ部２０の構造について説明する。なお、図３は、第１実施形態におけるポンプ部２０の構成を示す図である。
【００６２】
ポンプ部２０は、外部から気体（例えば、外気）を取り込み、エアバッグ１３に当該気体を注入する送気用ポンプ２１と、エアバッグ１３の加圧及び除圧を行うマッサージ用ポンプ２２と、送気用ポンプ２１に取り付けられたエアコネクタ２３と、送気用ポンプ２１及びマッサージ用ポンプ２２とエアバッグ１３とを接続させるチューブ２４と、エアバッグ１３に挿嵌されるエアノズル２５と、を有している。
【００６３】
なお、例えば、本実施形態の送気用ポンプ２１は、本発明の第１ポンプを構成し、マッサージ用ポンプ２２は、例えば、本発明の「第２ポンプ」を構成する。また、例えば、本実施形態のチューブ２４は、本発明のチューブを構成する。
【００６４】
送気用ポンプ２１は、各種のゴムによって構成される袋状のゴム球２１１により構成され、当該ゴム球２１１の一部に形成された気体排出口（図示せず）に取り付けられたエアコネクタ２３と、ゴム球２１１において気体排出口の設けられた部位と対角線上の位置に形成された逆止弁２１２と、を有している。
【００６５】
特に、本実施形態の送気用ポンプ２１は、ユーザによってゴム球２１１に圧力を加えると、初期形状（例えば、楕円球形状）から収縮変形した変形形状に遷移し、ゴム球２１１の内部の気体を、チューブ２４を介してエアバッグ１３に供給する。
【００６６】
また、送気用ポンプ２１は、ユーザによってゴム球２１１に加えた圧力が開放されると、エアバッグ１３からではなく、逆止弁２１２を介して、外気から気体を取り入れつつ、自身の弾性力によって収縮変形した変形形状から初期形状まで膨張復元する。
【００６７】
そして、送気用ポンプ２１は、ユーザによる加圧及びその開放が繰り返されることによって、すなわち、ゴム球２１１がポンピングされることによって、順次外気から気体を取り込みつつ、エアバッグ１３内に当該取り込んだ気体を注入する。
【００６８】
特に、逆止弁２１２は、ゴム球２１１が押し込まれて加圧状態になった場合に、ゴム球２１１内に維持されている気体の排出を防止するとともに、ゴム球２１１における押し込まれる加圧状態を開放した場合には、ゴム球２１１内に外部からの気体を吸引する構成を有している。
【００６９】
また、逆止弁２１２は、エアコネクタ２３、チューブ２４及びエアノズル２５を介してエアバッグ１３から空気を吸引するのに要する圧力よりも弱い力で開閉するための機能を有している。
【００７０】
エアコネクタ２３は、送気用ポンプ２１内の密閉性を制御する部材であり、ピンやネジによって構成され、送気用ポンプ２１内を密閉に維持する密閉状態と、外部と自在に気体の入れ替えが可能な開放状態を制御する。
【００７１】
なお、本実施形態においては、例えば、チューブ２４に接合されたエアコネクタ２３は、ゴム球２１１の空気排出口に挿嵌されており、当該エアコネクタ２３と当該ゴム球２１１は、このような状態によって接着した密閉構造を有している。
【００７２】
マッサージ用ポンプ２２は、各種のゴムによって構成される袋状の密閉されたゴム球２２１により構成され、当該ゴム球２２１の一部に形成された気体排出口（図示せず）にチューブが直結された密閉構造を有している。
【００７３】
具体的には、マッサージ用ポンプ２２は、ユーザによってゴム球２２１に圧力を加えると、初期形状（例えば、楕円球形状）から収縮変形した変形形状に遷移し、ゴム球２１１の内部の気体を、チューブ２４を介してエアバッグ１３に供給する。
【００７４】
特に、マッサージ用ポンプ２２は、送気用ポンプ２１によってエアバッグ１３内に気体が注入された膨張状態において、マッサージ対象部位に圧着させるため、さらに、エアバッグ１３内に気体を注入する。
【００７５】
一方、マッサージ用ポンプ２２は、ユーザによってゴム球２２１に加えた圧力を開放すると、送気用ポンプ２１とは異なり、自身の弾性力によって収縮変形した変形形状から初期形状まで膨張復元し、エアバッグ１３内の気体を吸引する。
【００７６】
特に、マッサージ用ポンプ２２は、基本的には、初期形状から収縮変形した変形形状に遷移した際に注入した量と同一の量の気体を吸引するので、マッサージ対象部位の加圧による圧迫を軽減し、初期状態時におけるエアバッグ１３の膨張状態に復元する。
【００７７】
そして、マッサージ用ポンプ２２は、ユーザによる加圧及びその開放が繰り返されることによって、すなわち、ゴム球２２１がポンピングされることによって、エアバッグ１３の膨張及び収縮を繰り返し、マッサージ対象部位への加圧及び除圧を繰り返す。
【００７８】
なお、本実施形態のマッサージ用ポンプ２２のゴム球２２１には、送気用ポンプ２１のゴム球２１１とは異なり、気体排出口及び逆止弁が設けられておらず、マッサージ用ポンプ２２は、チューブ２４及びエアノズル２５を介してエアバッグ１３に直結する構造を有している。
【００７９】
チューブ２４は、一体的に形成されたＹ字形状を有し、Ｙ字の上端であって送気用ポンプ２１に接続される第１端部と、Ｙ字の上端であってマッサージ用ポンプ２２に接続される第２端部と、エアバッグ１３に接続される第３端部と、を備えている。
【００８０】
特に、チューブ２４は、送気用ポンプ２１及びマッサージ用ポンプ２２から供給された２つの経路をチューブ２４内において合体された構造を有している。
【００８１】
なお、本実施形態のチューブ２４は、３本のチューブをＴ字型のチューブコネクタにより接続して形成されていてもよい。
【００８２】
［Ａ．３］マッサージ器の使用形態
次に、マッサージ器１の使用形態の一例について説明する。なお、ここでは、頭部をマッサージする際の使用形態を用いて説明するが、腰部、上腿、脹ら脛、前腕、二の腕など、各種の部位に使用することが可能である。
【００８３】
まず、エアバッグ１３、送気用ポンプ２１、マッサージ用ポンプ２２及びチューブ２４を接続するとともに、エアコネクタ２３によって、送気用ポンプ２１内を密閉状態にして第１ベルト部１０を頭部Ｈに密着させる。
【００８４】
このとき、エアバッグ１３が収容されている第１ベルト部１０の該当箇所を、前頭葉を包み込むように密着させる。なお、このときに、エアバッグ１３は、左右のこめかみ周辺を覆うことが望ましい。
【００８５】
次いで、送気用ポンプ２１のゴム球２１１がポンピングされると、逆止弁２１２を介して外部から取り込まれた空気が、エアコネクタ２３、チューブ２４及びエアノズル２５を介してエアバッグ１３内に注入される。このとき、第１ベルト部１０は、マッサージ対象部位である頭部Ｈに圧着される。
【００８６】
次いで、第１ベルト部１０が頭部に圧着された状態において、ユーザによってマッサージ用ポンプ２２がポンピングされると、エアバッグ１３内の空気が吸引され、又は、再注入され、エアバッグ１３が収縮と膨張を繰り返す。このとき、第１ベルト部１０は、マッサージ対象部位に対する加圧と除圧を繰り返し、当該部位にマッサージを施す。
【００８７】
特に、頭部Ｈに第１ベルト部１０を巻き付けて、マッサージを施す場合には、頭部の血行を促進して、リラックス効果を得られるとともに、眼精疲労を軽減することもできる。そして、この結果、本実施形態のマッサージ器１は、頭皮の揉みほぐしを実現することができるため頭皮の血行を促進して、発毛促進と育毛効果を発揮することできる。
【００８８】
［Ｂ］第２実施形態
［Ｂ．１］概要
次に、本発明の第１実施形態に係るマッサージ器２について説明する。
【００８９】
本実施形態は、第１実施形態におけるベルト部（すなわち、第１ベルト部１０）の形状が異なるとともに、当該ベルト部を複数用いる点に特徴がある。
【００９０】
なお、本実施形態は、上記の点を除き、その構成は第１実施形態と同一であるため、同一の部材については同一の番号を付してその説明を省略する。
【００９１】
［Ｂ．２］概要構成
次に、図４を用いて本発明の第１実施形態に係るマッサージ器２の構成について説明する。なお、図４は、本実施形態におけるマッサージ器の構成を示す図である。
【００９２】
本実施形態のマッサージ器２は、図４に示すように、第１実施形態と異なる形状を有する第２ベルト部５０と、マッサージ対象部位に対して加圧と除圧を実行するために用いられるエアバッグ５３と、当該エアバッグ５３に気体（具体的には空気）を注入し、かつ、加圧及び除圧をする送気用ポンプ２１及びマッサージ用ポンプ２２の２つのポンプを有するポンプ部６０と、を有している。
【００９３】
特に、本実施形態のマッサージ器２は、例えば、足関節部分（足首部分）から足の指にかけてのマッサージに適用させるため、図４に示すように、複数の第２ベルト部５０のそれぞれの中央部分が、他の部分より大きな形状となり、かつ、当該中央部分のみそれぞれエアバッグ５３が収容されている構成を有している。なお、本実施形態の第２ベルト部５０の詳細については後述する。
【００９４】
また、本実施形態のマッサージ器２は、複数のマッサージ対象部位に用いるため、複数の第２ベルト部（例えば、２つの第２ベルト部）５０を有するとともに、複数の第２ベルト部５０に同時に気体の注入、再注入及び吸引を実行するためポンプ部６０を有している。
【００９５】
具体的には、本実施形態のポンプ部６０は、図４に示すように、外部から気体を取り込み、各エアバッグ５３に当該気体を注入する送気用ポンプ２１と、各エアバッグ５３の加圧及び除圧を行うマッサージ用ポンプ２２と、送気用ポンプ２１に取り付けられたエアコネクタ２３と、送気用ポンプ２１及びマッサージ用ポンプ２２と各エアバッグ５３と接続されるチューブユニット６１と、各エアバッグ５３に挿嵌される複数のエアノズル２５と、を有している。
【００９６】
また、チューブユニット６１は、送気用ポンプ２１及びマッサージ用ポンプ２２に接続されたメインチューブ６２と、各エアバッグ５３に接続された分岐チューブ６３と、メインチューブ６２を二股に分岐して各分岐チューブ６３に分配するためのＴ字エアコネクタ６４と、から構成される。
【００９７】
なお、チューブユニット６１は、Ｔ字エアコネクタ６４に代えて、Ｙ字のエアコネクタなどメインチューブ６２を二股に分岐して各分岐チューブ６３に分配するものであればよい。
【００９８】
［Ｂ．３］第２ベルト部
次に、図５を用いて本実施形態の第２ベルト部５０の構造について説明する。なお、図５は、第１実施形態における第２ベルト部５０の構成を示す図である。
【００９９】
特に、図５（Ａ）は、第２ベルト部５０の前面図を示し、図５（Ｂ）は、第２ベルト部５０の裏面図を示す。また、図５（Ｃ）は、第２ベルト部５０の内部に収容されるエアバッグ５３の前面図を示し、図５（Ｄ）は、第２ベルト部５０のＢ−Ｂ’断面図を示す。さらに、図５（Ｄ）は、第２ベルト部５０の内部に収容されるエアバッグ５３の断面図を示す。
【０１００】
第２ベルト部５０は、第１実施形態と同様に、図５（Ａ）〜（Ｅ）に示すように、表面材５１と、裏面材５２と、エアバッグ５３と、表面材５１及び裏面材５２によって構成されるエアバッグ５３を収容する収容部５４と、をから構成される。
【０１０１】
なお、例えば、本実施形態の第２ベルト部５０は、本発明の帯状部材を構成し、エアバッグ５３は、本発明のエアバッグを構成する。また、例えば、本実施形態の収容部５４は、本発明の収容部を構成する。
【０１０２】
特に、第２ベルト部５０は、第１実施形態と同様に、表面材５１、裏面材５２、エアバッグ５３及び収容部５４を一体化した構造を有している。
【０１０３】
また、表面材５１及び裏面材５２は、それぞれ、図５（Ａ）及び（Ｂ）に示すように、長手方向の長さＬ（例えば、６８０ｍｍ）及び短手方向の長さＳ４（例えば、４０ｍｍ）の帯形状を有し、かつ、中央部分に、所定の部位に密着される楕円形状の幅広部分を有している。
【０１０４】
そして、表面材１１は、裏面材１２と、長手方向及び短手方向の端部、すなわち、周囲において接合されるとともに、幅広部分に、裏面材１２とともに長手方向の長さＬ５を有する袋形状の収容部５４を形成し、輪形状に変形可能なストレッチ性を有する生地により構成されている。
【０１０５】
なお、表面材５１は、第１実施形態と同様に、エアバッグ５３とポンプ部２０と連結させるための貫通孔５１１を有している。
【０１０６】
収容部５４は、図５（Ａ）、（Ｂ）及び（Ｄ）に示すように、長手方向において長さＬ５、及び、短手方向の長さＳ６の袋形状を有している。特に、収容部１４は、楕円形状を有し、表面材１１及び裏面材１２の長手方向の中央部分に形成されている。
【０１０７】
一方、裏面材５２の一端には、第１実施形態と同様に、面ファスナーのフックによって形成され、長さＴ３及びＴ４を有する固定具５２１が設けられている。そして、固定具５２１は、第２ベルト部５０が湾曲した輪形状となるように、表面材５１の全体又は一部分に固定される。
【０１０８】
エアバッグ５３は、第１実施形態と同様に、ポンプ部２０によって気体（具体的には、空気）が注入されるとともに、マッサージ用ポンプ２２によってポンピングされた場合に、気体の吸排気に応じて収縮と膨張を繰り返す構造を有している。
【０１０９】
また、エアバッグ５３は、図５（Ｃ）及び（Ｅ）に示すように、長さＬ７及びＳ７から構成される密閉された楕円形状を有している。特に、エアバッグ５３の破裂防止のため、エアバッグ５３の長手方向の長さＬ７は、収容部５４の長さＬ５より長くなっており、エアバッグ５３の短手方向の長さＳ７は、表面材５１及び裏面材５２の長さＳ５又は収容部５４の短手方向の長さＳ４より長くなっている。
【０１１０】
なお、第１実施形態と同様に、エアバッグ５３の長手方向の長さＬ７は、収容部５４の長さＬ５より長くなっていればよく、また、エアバッグ５３の短手方向の長さＳ７は、表面材５１及び裏面材５２の長さＳ５や収容部５４の短手方向の長さＳ６より長くなっていれば、その長さは限定されない。ただし、これらの長さが長すぎると、マッサージ対象部位に対して加圧及び除圧を十分に行うことができないため、適切な長さであることが望ましい。
【０１１１】
一方、エアバッグ５３には、第１実施形態と同様に、空気流入・流出口５３１が設けられ、この空気流入・流出口５３１は、表面材５１に設けられた貫通孔５１１と位置合わせされている。
【０１１２】
特に、空気流入・流出口５３１には、図示せぬ逆止弁が設けられているとともに、ポンプ部２０の後述するエアノズル２５が表面材１１の貫通孔１１１を通して挿嵌される。
【０１１３】
［Ｂ．４］マッサージ器の使用形態
次に、マッサージ器２の使用形態の一例について説明する。なお、ここでは、右下腿ＲＬ及び左下腿ＬＬをマッサージする際の使用形態を用いて説明するが、前腕や二の腕など、各種の部位に使用することが可能である。
【０１１４】
特に、本実施形態においては、マッサージ器２を利用する場合には、図４に示すように、第２ベルト部５０においてエアバッグ５３の固定された楕円形状部を足指部分に合わせつつ、アキレス腱部分とを固定して密着するように足関節に装着する。
【０１１５】
そして、第１実施形態と同様に、送気用ポンプ２１によって、エアバッグ５３内に外気を注入し、その後、ユーザによってマッサージ用ポンプ２２がポンピングされると、エアバッグ５３内の空気が吸引され、又は、再注入され、エアバッグ５３が収縮と膨張を繰り返す。
【０１１６】
また、このとき、第２ベルト部５０は、マッサージ対象部位に対する加圧と除圧を繰り返し、足関節に対するマッサージを施す。
【０１１７】
特に、下腿Ｌに第２ベルト部５０を巻き付けて、マッサージを施す場合には、つま先をすね方向に動かすことによって、アキレス腱のストレッチの効果を得ることができる。
【０１１８】
すなわち、アキレス腱やふくらはぎの筋肉は、足先まで下りてきた血液を心臓に押し戻す重要な役割を果たしているため、本実施形態のマッサージ器２により、足関節をマッサージすることにより、足の血行を促進し、冷え性や腰痛を改善することが可能となる。
【０１１９】
［Ｃ］変形例
上記第１実施形態においては、１本の第１ベルト部１０によりマッサージを施す場合の構成について説明したが、複数の第１ベルト部１０を連結し、１つのポンプ部２０により、第２実施形態と同様に、複数の第１ベルト部１０に対して空気を注入し、かつ、マッサージ用ポンプ２２によりポンピングを行って、各第１ベルト部１０のエアバッグ１３を同時に収縮・膨張させ、腰部などの大きな部位についてマッサージを施せるようにしてもよい。
【０１２０】
また、連結された複数の第１ベルト部を胴体部分にたすき掛けして使用することによって、猫背矯正などの種々の部位についてマッサージを施すこと、又は、マッサージを施すための動きを用いた刺激運動を実行してもよい。
【符号の説明】
【０１２１】
１、２  …  マッサージ器
１０  …  第１ベルト部、
１１、５１  …  表面材
１２、５２  …  裏面材
１３、５３  …  エアバッグ
２０  …  ポンプ部
２１  …  送気用ポンプ
２２  …  マッサージ用ポンプ
２３  …  エアコネクタ
２４  …  チューブ
２５  …  エアノズル
５０  …  第２ベルト部
６１  …  チューブユニット
６２  …  メインチューブ
６３  …  分岐チューブ
６４  …  Ｔ字コネクタ
【図１】
2019088527.tif 000003
【図２】
2019088527.tif 000004
【図３】
2019088527.tif 000005
【図４】
2019088527.tif 000006
【図５】
2019088527.tif 000007